(57)【要約】【課題】瓦を支持部材に固定するのに用いる貫通孔から雨水の漏れを低減でき、場合によっては瓦の取付け強度を増加する止め孔付き瓦を提供する。【解決手段】複数の瓦１０をその上流側表面と下流側裏面とを一部ラップさせて屋根３１の上に並べて配置し、屋根３１に設けられた支持部材３３ａに、少なくとも上流側に形成された第１の貫通孔２４を挿通するねじ又は釘からなる固定部材３２ａで固定する止め孔付き瓦１０において、第１の貫通孔２４は、瓦１０の上流側表面に形成された円錐台状の第１の凸部１６にも形成され、瓦１０の下流側裏面には、第１の凸部１６が嵌入する第１のガイド凹部１８が形成されている。【選択図】図９
2015010350.tif 000002
【特許請求の範囲】
【請求項１】
複数の瓦をその上流側表面と下流側裏面とを一部ラップさせて屋根の上に並べて配置し、該屋根に設けられた支持部材に、少なくとも上流側に形成された第１の貫通孔を挿通するねじ又は釘からなる固定部材で固定する止め孔付き瓦において、
前記第１の貫通孔は、前記瓦の上流側表面に形成された円錐台状の第１の凸部にも形成され、前記瓦の下流側裏面には、下位置にある前記瓦の第１の凸部が嵌入する第１のガイド凹部が形成されていることを特徴とする止め孔付き瓦。
【請求項２】
請求項１記載の止め孔付き瓦において、幅方向の一方から中央部にかけて谷部が幅方向の他方には山部が形成され、前記第１の凸部は前記谷部に形成されていることを特徴とする止め孔付き瓦。
【請求項３】
請求項２記載の止め孔付き瓦において、前記谷部に第２の凸部が前記第１の凸部と幅方向に並んで配置され、前記第２の凸部には、前記瓦の下端まで延在し頂部を蓋で閉塞された第２の貫通孔が形成され、かつ前記瓦の下流側裏面には、下位置にある前記瓦の第２の凸部が嵌入する第２のガイド凹部が形成されていることを特徴とする止め孔付き瓦。
【請求項４】
請求項１〜３のいずれか１項に記載の止め孔付き瓦において、前記第１のガイド凹部の直上の表面に、前記瓦の下端まで延在し頂部を蓋で閉塞された第３の貫通孔が形成された円錐台状の第３の凸部を有していることを特徴とする止め孔付き瓦。
【請求項５】
請求項２又は３記載の止め孔付き瓦において、前記瓦は軒瓦であり、前記谷部の下流側表面に、前記瓦の下端まで延在し頂部を蓋で閉塞された第４の貫通孔を備える円錐台状の第４の凸部を設け、該第４の貫通孔を挿通するねじ又は釘からなる第２の固定部材で、前記屋根の最下部に配置された第２の支持部材に該軒瓦を固定することを特徴とする止め孔付き瓦。
【請求項６】
請求項３〜５のいずれか１項に記載の止め孔付き瓦において、前記蓋はそれぞれ中央に窪みを有することを特徴とする止め孔付き瓦。
【発明の詳細な説明】
【技術分野】
【０００１】
本発明は瓦に係り、詳細には屋根に設けられた支持部材（例えば、桟木）にねじ又は釘を用いて固定できる止め孔付き瓦に関する。
【背景技術】
【０００２】
屋根に葺かれる瓦は、一側から中央部にかけて形成された谷部と、他側に形成され谷部に一体的に連結される山部とを有する。そして、屋根に並べて配置された瓦がずり落ちたり、風等で瓦がめくり上がると事故に繋がるので、一般的には瓦の上流側で、上に配置される瓦との重複部分に貫通孔を設け、ねじや釘等で桟木に瓦を固定している（例えば、特許文献１参照）。
【先行技術文献】
【特許文献】
【０００３】
【特許文献１】特開２００７−２３４８４号公報
【発明の概要】
【発明が解決しようとする課題】
【０００４】
しかし、谷部に貫通孔を設けると、風等で雨水が谷部を這い上がってきた場合等では、雨水が貫通孔を伝って瓦の裏側に流れ込み、屋根材（野路板、桟木）等の腐食を早めるという問題があった。
【０００５】
本発明はかかる事情に鑑みてなされたもので、瓦に設けられた貫通孔から雨水の漏れるのを極力防止できる止め孔付き瓦を提供することを目的とする。
【課題を解決するための手段】
【０００６】
前記目的に沿う第１の発明に係る止め孔付き瓦は、複数の瓦をその上流側表面と下流側裏面とを一部ラップさせて屋根の上に並べて配置し、該屋根に設けられた支持部材に、少なくとも上流側に形成された第１の貫通孔を挿通するねじ又は釘からなる固定部材で固定する止め孔付き瓦において、
前記第１の貫通孔は、前記瓦の上流側表面に形成された円錐台状の第１の凸部にも形成され、前記瓦の下流側裏面には、下位置にある前記瓦の第１の凸部が嵌入する第１のガイド凹部が形成されている。
【０００７】
第２の発明に係る止め孔付き瓦は、第１の発明に係る止め孔付き瓦において、幅方向の一方から中央部にかけて谷部が幅方向の他方には山部が形成され、前記第１の凸部は前記谷部に形成されている。
【０００８】
第３の発明に係る止め孔付き瓦は、第２の発明に係る止め孔付き瓦において、前記谷部に第２の凸部が前記第１の凸部と幅方向に並んで配置され、前記第２の凸部には、前記瓦の下端まで延在し頂部を蓋で閉塞された第２の貫通孔が形成され、かつ前記瓦の下流側裏面には、下位置にある前記瓦の第２の凸部が嵌入する第２のガイド凹部が形成されている。
【０００９】
第４の発明に係る止め孔付き瓦は、第１〜第３の発明に係る止め孔付き瓦において、前記第１のガイド凹部の直上の表面に、前記瓦の下端まで延在し頂部を蓋で閉塞された第３の貫通孔が形成された円錐台状の第３の凸部を有している。
【００１０】
第５の発明に係る止め孔付き瓦は、第２、第３の発明に係る止め孔付き瓦において、前記瓦は軒瓦であり、前記谷部の下流側表面に、前記瓦の下端まで延在し頂部を蓋で閉塞された第４の貫通孔を備える円錐台状の第４の凸部を設け、該第４の貫通孔を挿通するねじ又は釘からなる第２の固定部材で、前記屋根の最下部に配置された第２の支持部材に該軒瓦を固定する。
【００１１】
そして、第６の発明に係る止め孔付き瓦は、第３〜第５の発明に係る止め孔付き瓦において、前記蓋はそれぞれ中央に窪みを有する。
【発明の効果】
【００１２】
第１〜第６の発明に係る止め孔付き瓦において、第１の貫通孔が、瓦の上流側表面に形成された円錐台状の第１の凸部にも形成され、風等によって雨水が上流側に押し上げられても、雨水が第１の貫通孔に浸入しない。また、瓦の下流側裏面には、下位置にある瓦の第１の凸部が嵌入する第１のガイド凹部が形成されているので、瓦の嵩張りが生じない。そして、第１の凸部が第１のガイド凹部に嵌入することで、瓦同士の連結性、密着性を増すことができる。
【００１３】
第２の発明に係る止め孔付き瓦は、第１の凸部が谷部に形成されていても、周囲より突出しているので、第１の貫通孔を通じて雨水が瓦下に浸入しない。
【００１４】
第３の発明に係る止め孔付き瓦は、谷部に第２の凸部が第１の凸部と幅方向に並んで配置され、第２の凸部には頂部を蓋で閉塞された第２の貫通孔が形成され、かつ瓦の下流側裏面には、第２の凸部が嵌入する第２のガイド凹部が形成されているので、より強固に瓦を屋根の支持部材に固定できる。
【００１５】
第４の発明に係る止め孔付き瓦は、第１のガイド凹部の直上の表面に、頂部を蓋で閉塞された第３の貫通孔が形成された円錐台状の第３の凸部を有しているので、上下の瓦をねじ又は釘からなる固定部材で強固に支持部材に固定できる。
【００１６】
第５の発明に係る止め孔付き瓦は、瓦が軒瓦であり、谷部の下流側表面に、瓦の下端まで延在し頂部を蓋で閉塞された第４の貫通孔を備える円錐台状の第４の凸部を設け、第４の貫通孔を挿通するねじ又は釘からなる第２の固定部材で、屋根の最下部に配置された第２の支持部材に軒瓦を固定するので、軒瓦の固定が更に強固となり、下から吹き上げる風に対しても強く保持できる。
【００１７】
そして、第６の発明に係る止め孔付き瓦は、蓋がそれぞれ中央に窪みを有するので、蓋に孔を設ける場合、工具や固定部材が逃げることがなく、作業効率が向上する。
【図面の簡単な説明】
【００１８】
【図１】本発明の一実施の形態に係る止め孔付き瓦を示す斜視図である。
【図２】同止め孔付き瓦の平面図である。
【図３】同止め孔付き瓦の底面図である。
【図４】同止め孔付き瓦のＡ−Ａ端面図である。
【図５】同止め孔付き瓦のＢ−Ｂ端面図である。
【図６】同止め孔付き瓦のＣ−Ｃ端面図である。
【図７】同止め孔付き瓦のＤ−Ｄ端面図である。
【図８】同止め孔付き瓦のＥ−Ｅ端面図である。
【図９】同止め孔付き瓦の施工方法を示す模式的端面図である。
【発明を実施するための形態】
【００１９】
続いて、添付した図面を参照しながら本発明を具体化した実施の形態について説明する。
図１〜図８に示すように、本発明の一実施の形態に係る止め孔付き瓦（以下、単に「瓦」という）１０は、谷部１１及び山部１２を備えている。なお、瓦１０は、粘土、セメント等により一体的に成形されている。谷部１１及び山部１２は、一般的な和瓦や洋瓦と同様の構造である。具体的には、平面視して略矩形状の瓦１０において、谷部１１は幅方向の一側から中央部にかけて形成されており、山部１２は幅方向の他側に形成されている。谷部１１の底方向（雨水の流れる方向）と山部１２の尾根方向とは同一方向であり、谷部１１と山部１２とは一体的に連結している。また、山部１２の平均曲率半径ｒ２（表面側）は、谷部１１の平均曲率半径ｒ１（表面側）より小さく構成されている。平均曲率半径は、山部の尾根方向と垂直な平面での断面形状を元に測定できる。
【００２０】
図１、図３に示すように、瓦１０は、流水増速部１３、水返し部１４、湾曲凹部１５、第１の凸部１６、第２の凸部１７、第１のガイド凹部１８、第２のガイド凹部１９、第３の凸部２０及び第４の凸部２１を有している。
【００２１】
流水増速部１３は、谷部１１の下流側端部表面に形成されている。流水増速部１３は、谷部１１の表面を流れる雨水の流速を加速させる機能を有する部分である。具体的には、流水増速部１３は、谷部１１の表面における下流側端部に形成された急斜面（法面）２２及びこの急斜面２２に連結する緩斜面２３から形成されている。急斜面２２と緩斜面２３とは、角が無く曲面状に連結しており、急斜面２２及び緩斜面２３共に谷部１１の底に合わせて湾曲した形状となっている。
【００２２】
流水増速部１３の深さ（緩斜面２３と谷部１１の表面との高さの差）としては、例えば５ｍｍ以上２ｃｍ以下程度である。このような段構造の流水増速部１３を有することにより、谷部１１表面を流れる流水の速度が下流端部分（流水増速部１３）で増し、瓦１０の下端から雨水が下側の瓦に落ちる際に雨水が前方に飛ばされ、漏れの発生が低減される。
【００２３】
水返し部１４は、浸入してくる雨水を返し、漏れを低減させる機能を有する部分である。谷部１１及び山部１２の上流側端部表面に壁状に形成されている。水返し部１４の幅としては、例えば３ｍｍ以上１ｃｍ以下程度である。水返し部１４は、谷部１１の底の位置については高く、他の部分については若干低く形成されている。谷部１１の底の位置における水返し部の高さとしては、例えば３ｍｍ以上１ｃｍ以下程度であり、他の部分における水返し部の高さとしては、例えば１ｍｍ以上６ｍｍ以下程度である。このような水返し部１４を有することにより、水返し部１４より奥に雨水が浸入することを抑え、漏れの発生を低減している。
谷部１１の裏側の上流側端部には、底が平面となった脚部１４ａが設けられて、瓦１０を平面上に置いた場合、容易に左右に傾かない構造となっている。この脚部１４ａは水返し部１４の裏側に位置する。
【００２４】
湾曲凹部１５は、流水増速部１３の直上流の谷部１１表面の底（中央）に形成されている。湾曲凹部１５は平面視して舌状である。湾曲凹部１５の長さ（雨水の流れ方向の長さ）としては、例えば瓦１０の長さの１／４以上１／２以下程度とすることができる。湾曲凹部１５の断面形状としては、Ｖ字状、Ｕ字状、円弧状等、特に限定されない。瓦１０によれば、このように流水増速部１３の直上流に湾曲凹部１５が形成されているため、雨水がこの湾曲凹部１５の底（中央）に集中し、瓦１０の下端から雨水が勢いよく流れ出るため、漏れが十分に低減できる。湾曲凹部１５の平均曲率半径ｒ３としては、谷部１１の平均曲率半径ｒ１以下であることが好ましい。このように、湾曲凹部１５の平均曲率半径ｒ３を谷部１１の平均曲率半径ｒ１以下とすることにより、効率的に瓦１０表面、即ち谷部１１を流れる雨水を湾曲凹部１５、特にその底に集めることができ、漏れ低減機能を高めることができる。なお、湾曲凹部１５は省略することもできる。この場合は、湾曲した谷部１１のみとなる。
【００２５】
湾曲凹部１５は、周縁に法面１５ａを有して、谷部１５の曲率半径ｒ１と同一の平均の曲率半径を有してもよいし、その曲率半径ｒ３を曲率半径ｒ１以下にして、湾曲凹部１５の周囲に法面を形成しないようにしてもよい。なお、湾曲凹部１５の最大深さは、１ｍｍ以上で谷部１５の厚みの０．３倍以下とするのがよい。この理由は、湾曲凹部１５の深さが浅い場合は集水効率が下がり、湾曲凹部１５の深さを深くするとその部分の瓦の厚みが小さくなり、割れ易くなるからである。また、ここで曲率半径とは、断面形状の３以上の点をとり、そのうちの３点を通る円弧の半径の平均をいう（単に、平均曲率半径という）。
【００２６】
第１の凸部１６及び第２の凸部１７は、谷部１１の上流側端部表面に、幅方向に並んで、即ち谷部１１の底に対して対称（非対称でもよい）に設けられている。凸部１６、１７は円錐台状である。凸部１６、１７には、瓦１０の下端まで延在し、その軸方向中央に、施工（瓦葺）時に瓦１０を支持部材（例えば、桟木等）に固定する固定部材（パッキン付きのねじ、釘等）が挿通される第１の貫通孔２４、第２の貫通孔２５がそれぞれ形成されている。
【００２７】
なお、第１の凸部１６に形成された第１の貫通孔２４には蓋が付いておらず表面側裏面側とも開口している。一方、第２の凸部１７に形成された第２の貫通孔２５の表面側（頂部）には皿（窪み）付きの蓋２６が設けられている。
蓋２６は、凸部１７自体と一体的に形成されているものである。また、第２の貫通孔２５にねじ等を挿通させる際、例えば、ねじ等により蓋２６を突き破って挿通させることとなる。凸部１６、１７の高さとしては、特に限定されないが、例えば５ｍｍ以上１．５ｃｍ以下程度とすることができる。このように凸部１６、１７をある程度の高さとすることで、貫通孔２４、２５からの雨水の流入を抑制することができる。
【００２８】
第１のガイド凹部１８及び第２のガイド凹部１９は、谷部１１の裏面であって、下側に配置される瓦１０の第１、第２の凸部１６、１７の一部がそれぞれ嵌入する位置に設けられている。具体的には、ガイド凹部１８、１９は、谷部１１の下流側端部分の裏面に設けられ、かつ、それぞれ凸部１６、１７の下流位置に設けられている。また、ガイド凹部１８、１９は、流水増速部１３と谷部１１の境界部分の裏側で、左右両側に設けられている。このガイド凹部１８、１９により、瓦１０を葺く際の位置合わせをスムーズかつ正確に行うことなどができ、漏れをより低減させることができる。
【００２９】
第３の凸部２０は、第１のガイド凹部１８の直上の谷部１１表面に設けられている。すなわち、第３の凸部２０は、谷部１１表面下流端部分において、第１の凸部１６の下流位置に設けられている。凸部２０は円錐台状である。凸部２０には、瓦１０の下端まで延在し、その軸方向中央に、施工（瓦葺）時に瓦１０を支持部材（桟木等）に固定する固定部材（ねじ、釘等）が挿通可能な第３の貫通孔２７が形成されている。なお、第３の貫通孔２７の表面側（頂部）には窪みを有する蓋２８が付いている。この蓋２８は凸部２０と一体に形成されている。
【００３０】
第４の凸部２１は、谷部１１の表面の下流側であって、第３の凸部２０の直上流位置に設けられている。凸部２１は円錐台状である。凸部２１には、瓦１０の下端まで延在し、その軸方向中央に、軒瓦として施工（瓦葺）時に瓦１０を最下段の第２の支持部材（桟木等）に固定する第２の固定部材（ねじ、釘等）が挿通可能な第４の貫通孔２９が形成されている。なお、第４の貫通孔２９の表面側（頂部）には窪みを有する蓋３０が付いている。この蓋３０は凸部２１と一体に形成されている。
【００３１】
次に、瓦１０の使用方法（施工方法）について、図９を参照して説明する。瓦１０の一つである瓦Ａを屋根３１に葺くとき、下側に配置されている瓦Ｂの第１、第２の凸部１６、１７の上部を、瓦Ａの第１、第２のガイド凹部１８、１９にそれぞれ嵌入するように、瓦Ａを載置する。このように瓦１０によれば、ガイド凹部１８、１９が設けられているため、位置合わせが容易かつ正確になる。このように瓦Ａ、Ｂを重ねた状態（即ち、複数の瓦１０の上流側表面と下流側裏面とを一部ラップさせた状態）で、瓦Ａの第３の凸部２０に形成された第３の貫通孔２７と、瓦Ｂの第１の凸部１６に形成された第１の貫通孔２４とに、固定部材の一例である釘３２ａを挿通させ、支持部材の一例である桟木３３ａに固定する。このようにすることで、桟木３３ａに対して、瓦Ａ、Ｂを同時固定することができる。
【００３２】
なお、釘３２ａの挿通部分（貫通孔２７等）には、適宜、コーキング処理等が施される。また、下側に位置する瓦Ｂにおける第１の凸部１６の第１の貫通孔２４においては、十分なコーキング処理が施しにくい場合もあるが、第１の凸部１６がある程度の高さを有しているため、雨水の流入が抑制される。なお、釘３２ａの代わりにパッキンが設けられたビス、パッキンが設けられた釘を使用することもできる。
【００３３】
瓦１０を軒瓦として用いる場合（図９における瓦Ｂ）、瓦Ｂの下流側は第４の凸部２１に形成された第４の貫通孔２９に第２の固定部材の一例である釘３２ｂを挿通させて、屋根３１の最下部に配置された第２の支持部材の一例である桟木３３ｂに瓦Ｂを固定させる。このようにすることで、軒瓦としての瓦Ｂを上下２箇所で固定することができる。
【００３４】
なお、他の貫通孔（例えば、第２の貫通孔２５）には、必要に応じて適宜釘等の固定部材を挿通させて桟木等に固定することで、瓦１０をより強固に固定することができる。なお、使用しない貫通孔には蓋が設けられているため、使用しない貫通孔からの雨水の流入を防ぐことができる。
【００３５】
本発明は前記した実施の形態に限定されるものではなく、本発明の要旨を変更しない範囲でその構成を変更することもできる。例えば、第２〜第４の凸部は必須ではなく、設けられていなくともよく、第１及び第２の凸部のみを設けるなど、必要に応じて適宜設ければよい。
【符号の説明】
【００３６】
１０：瓦、１１：谷部、１２：山部、１３：流水増速部、１４：水返し部、１４ａ：脚部、１５：湾曲凹部、１５ａ：法面、１６：第１の凸部、１７：第２の凸部、１８：第１のガイド凹部、１９：第２のガイド凹部、２０：第３の凸部、２１：第４の凸部、２２：急斜面、２３：緩斜面、２４：第１の貫通孔、２５：第２の貫通孔、２６：蓋、２７：第３の貫通孔、２８：蓋、２９：第４の貫通孔、３０：蓋、３１：屋根、３２ａ、３２ｂ：釘、３３ａ、３３ｂ：桟木
【図１】
2015010350.tif 000003
【図２】
2015010350.tif 000004
【図３】
2015010350.tif 000005
【図４】
2015010350.tif 000006
【図５】
2015010350.tif 000007
【図６】
2015010350.tif 000008
【図７】
2015010350.tif 000009
【図８】
2015010350.tif 000010
【図９】
2015010350.tif 000011